(57)【要約】【課題】  天端表示部の位置調整を短時間で行なうことができ、これにより、作業能率を高めることができるコンクリート天端表示具の提供。【解決手段】  縦筋５または横筋６に対し取り付け固定可能な取付手段１と、該取付手段１に設けられた縦孔１４に対し上方へ抜き取り可能に下端が圧入されたポール２と、該ポール２に対し上下移動可能に装着される天端位置表示板３２を備えた天端表示部材３と、該天端表示部材３をポール３の任意の移動位置で固定可能な固定手段４と、で構成され、固定手段４が小径部３１ａの外周に装着固定されたナット状金具４１と、該ナット状金具４１の側壁を貫通する状態で形成された雌ねじ孔４１ａに対し螺合される蝶ねじ４２とで構成されている。【選択図】      図１
2006152611.tif 000002
【特許請求の範囲】
【請求項１】
鉄筋に対し取り付け固定可能な取付手段と、該取付手段に設けられた縦孔に対し上方へ抜き取り可能に下端が圧入されたポールと、該ポールに対し上下移動可能に装着される天端表示部を備えた天端表示部材と、該天端表示部材を前記ポールの任意の移動位置で固定可能な固定手段と、で構成されていることを特徴とするコンクリート天端表示具。
【請求項２】
請求項１に記載のコンクリート天端表示具において、前記ポールが可撓性材料で構成されていることを特徴とするコンクリート天端表示具。
【請求項３】
請求項１または２に記載のコンクリート天端表示具において、前記天端表示部材が、前記ポールの外周に上下移動自在に装着可能な筒部と、該筒部の下端に形成された板状の天端表示部とで構成され、
前記固定手段が、前記天板表示部材の筒部側壁に螺合された蝶ねじで構成されていることを特徴とするコンクリート天端表示具。
【発明の詳細な説明】
【技術分野】
【０００１】
本発明は、鉄筋造床コンクリートの敷設作業において、打設するコンクリートの天端位置を表示するためのコンクリート天端表示具に関する。
【背景技術】
【０００２】
従来のこの種の天端表示具としては、例えば図５に示すように、一端にナット１０１を備え、他端に鉄筋１０２に着脱可能に取り付ける鉄筋取付部１０３ａが形成された取付金具１０３と、下部に前記ナット１０１に進退可能に螺合する調整ボルト１０４ａを備えた天端表示部材１０４とからなるものが開示されている（例えば、特許文献１参照。）。
【０００３】
【特許文献１】実公平７−５６４５２号公報
【発明の開示】
【発明が解決しようとする課題】
【０００４】
しかしながら、従来例の天端表示具にあっては、ナット１０１に対し調整ボルト１０４ａのねじ込み量を調整することにより、天端表示部材１０４の位置調整を行なうものであったため、ねじピッチとの関係で位置調整に時間がかかり、作業能率が悪いという問題があった。
【０００５】
本発明の解決しようとする課題は、天端表示部の位置調整を短時間で行なうことができ、これにより、作業能率を高めることができるコンクリート天端表示具を提供することにある。
【課題を解決するための手段】
【０００６】
上記課題を解決するため請求項１記載のコンクリート天端表示具は、鉄筋に対し取り付け固定可能な取付手段と、該取付手段に設けられた縦孔に対し上方へ抜き取り可能に下端が圧入されたポールと、該ポールに対し上下移動可能に装着される天端表示部を備えた天端表示部材と、該天端表示部材を前記ポールの任意の移動位置で固定可能な固定手段と、で構成されていることを特徴とする手段とした。
【０００７】
請求項２記載のコンクリート天端表示具は、請求項１に記載のコンクリート天端表示具において、前記ポールが可撓性材料で構成されていることを特徴とする手段とした。
【０００８】
請求項３記載のコンクリート天端表示具は、請求項１または２に記載のコンクリート天端表示具において、前記天端表示部材が、前記ポールの外周に上下移動自在に装着可能な筒部と、該筒部の下端に形成された板状の天端表示部とで構成され、前記固定手段が、前記天板表示部材の筒部側壁に螺合された蝶ねじで構成されていることを特徴とする手段とした。
【発明の効果】
【０００９】
請求項１記載のコンクリート天端表示具では、上述のように、天端表示部を備えた天端表示部材がポールに対し上下移動可能に装着され、固定手段で任意の移動位置に固定できるような構造としたため、移動幅が大きくても天端表示部の位置調整を短時間で行なうことができ、これにより、作業能率を高めることができるようになるという効果が得られる。
【００１０】
また、ポールは取付手段に設けられた縦孔に対し単に圧入されているだけであるため、コンクリートの打設作業が終わった段階で上方へ簡単に抜き取ることができ、これより、天端表示部材を含むポールの除去作業の能率を高めることができるようになる。
また、表面に凹凸のないポールは従来の雄ねじに比べて打設コンクリートからの抜き取りが容易である。
【００１１】
請求項２記載のコンクリート天端表示具では、上述のように、前記ポールが可撓性材料で構成されることにより、コンクリート供給パイプ移動中に接触してもポールが撓むことで移動作業の妨げにならず、かつ、作業者の安全性を確保することができると共に、撓んだポールもその可撓性により元に戻るため、天端表示機能を維持させることができる。
【００１２】
請求項３記載のコンクリート天端表示具では、上述のように、前記天端表示部材が、ポールの外周に上下移動自在に装着可能な筒部と、該筒部の下端に形成された板状の天端表示部とで構成されることにより、天端表示位置の調整が正確に行なえるようになる。
また、固定手段が、天板表示部材の筒部側壁に螺合された蝶ねじで構成されることにより、蝶ねじを緩めることで天端表示部の位置調整が容易に行なえるようになると共に、蝶ねじをねじ込むことにより任意の位置に固定することができるようになる。
【発明を実施するための最良の形態】
【００１３】
以下にこの発明の実施例を図面に基づいて説明する。
【実施例１】
【００１４】
この実施例１のコンクリート天端表示具は、請求項１〜３に記載の発明に対応する。
まず、この実施例１のコンクリート天端表示具を図面に基づいて説明する。
【００１５】
図１はこの実施例１のコンクリート天端表示具を示す取り付け状態の正面図、図２はクリップ本体を示す正面図、図３は図１のＡ−Ａ線における横断平面図である。
このコンクリート天端表示具は、取付手段１と、ポール２と、天端表示部材３と、固定手段４と、を主な構成として備えている。
【００１６】
さらに詳述すると、前記取付手段１は、前記ポール２の下端部を鉄筋に対し取り付け固定するための手段であり、この実施例１では、縦筋５に取り付けるタイプについて説明する。
即ち、この取付手段１は、クリップ本体１ａと、ポール取付部１ｂと、締結部材1ｃとで構成されている。
【００１７】
前記クリップ本体１ａは、例えば、鋼板を曲げ加工して対向する一対の平行二面部１１，１２と、これらを繋ぐ背面部１３とを設けたコ字状に形成され、平行二面部１１の中央部にはその突出方向に向けて長い長穴１１ａが穿設されると共に、平行二面部１２の中央部にはボルト穴１２ａが穿設されている。なお、背面部１３の中央に穿設された穴１３ａは、コンクリートを打設する際、背面部１３内側へのコンクリートの入りをよくする役目をなす他に、後述の横筋６に取り付けるタイプである実施例２におけるクリップ本体１ａとの共用化を図るために穿設されるものである。
【００１８】
前記ポール２は、ジラコン等の可撓性を有する合成樹脂製の丸棒で構成されている。
前記ポール取付部１ｂは、外形が六角の筒状で、その軸心部には前記ポール２の下端部を挿入可能な縦孔１４が設けられていて、この縦孔１４内にポール２の下端部を挿入した状態で、側面から縦孔１４内へ向けてスポット的にプレスしてかしめることにより、該かしめ部ａの摩擦抵抗により上方へ抜き取り可能な程度に圧入された状態で組み付けられている。
【００１９】
そして、このポール取付部１ｂは、前記クリップ本体１におけるボルト穴１２ａが穿設された平行二面部１２と背面部１３との接続コーナ部の内側に接着剤または溶接により固定されている。
なお、前記クリップ本体１ａの平行二面部１１とポール取付部１ｂとの間に縦筋５を挿入可能な空間が形成されるように、前記背面部１３の長さが設定されている。
【００２０】
前記締結部材1ｃは、クリップ本体１ａに対し縦筋５を締結固定する役目をなすもので、終端が幅広の楔状頭部１５を有する締結ボルト１６と、該締結ボルト１６に螺合される締結ナット１７とで構成されている。
前記楔状頭部１５は、前記平行二面部１１に穿設された長穴１１ａに挿入可能でその幅広の終端部が長穴１１ａの長手方向幅より幅広になるように形成されている。
【００２１】
前記天端表示部材３は、天端位置を表示する役目をなすもので、前記ポール２の外周に上下移動自在に装着可能な円筒部３１と、該円筒部４１の下端に形成された円盤状の天端位置表示板（板状の天端表示部）３２とを備え、合成樹脂により一体に形成されている。
【００２２】
前記固定手段４は、前記天端表示部材３をポール２の任意の移動位置で固定する役目をなすもので、前記円筒部３１の上端側に形成された小径部３１ａの外周に装着固定されたナット状金具４１と、該ナット状金具４１の側壁を貫通する状態で形成された雌ねじ孔４１ａに対し螺合される蝶ねじ４２とで構成されている。
【００２３】
そして、この蝶ねじ４２をねじ込むことにより、該蝶ねじ４２の先端が円筒部３１の上端側に形成された小径部３１ａの側壁を内側へ押し込んでポール２に圧接させ、これにより、天端表示部材３をポール２の所定位置に固定することができるようになっている。
【００２４】
次に、この実施例１の作用・効果を説明する。
この実施例１のコンクリート天端表示具では、上述のように構成されるため、固定手段を構成する締結ナット１７を緩めた状態で、ポール取付部１ｂと平行二面部１１との間に形成された空間内に縦筋５を挿入させた状態で締結ボルト１６に対し締結ナット１７をねじ込んで行くと、楔状頭部１５の一方のテーパ側面ｂ１が縦筋５の側面に当接すると同時にもう一方のテーパ側面ｂ２が平行二面部１１に穿設された長穴の一方の内周面ｃに当接し、この状態で締結ナット１７をさらにねじ込むことにより、楔状頭部１５の一方のテーパ側面ｂ１が鉄筋５を背面部１３およびポール取付部１ｂ方向へ押圧し、これにより、鉄筋５に対し取付手段１が固定された状態となる。
【００２５】
次に、天端位置表示板３２を目的の天端位置に位置調整する時は、蝶ねじ４２を緩めると、ポール２に対する小径部３１ａの圧接状態が解除され、天端表示部材３のポール２に対する固定状態が解除されるため、ポール２に対し天端表示部材３を上下移動させて天端位置表示板３２が目的の天端位置になるように調整し、この状態で蝶ねじ４２をねじ込むことにより、該蝶ねじ４２の先端が円筒部３１の上端側に形成された小径部３１ａの側壁を内側へ押し込んでポール２に圧接させ、これにより、天端表示部材３をポール２の所定位置に固定することができる。
【００２６】
以上詳細に説明してきたように、この実施例１のコンクリート天端表示具では、天端表示部材３がポール２に対し上下移動可能に装着され、固定手段４で任意の移動位置に固定できるような構造としたため、移動幅が大きくても天端位置表示板３２の位置調整を短時間で行なうことができ、これにより、作業能率を高めることができるようになるという効果が得られる。
【００２７】
また、ポール２は取付手段１に設けられた縦孔１４に対し単に圧入されているだけであるため、コンクリートの打設作業が終わった段階で上方へ簡単に抜き取ることができ、これより、天端表示部材３を含むポール２の除去作業の能率を高めることができるようになる。
また、表面に凹凸のないポール２は従来の雄ねじに比べて打設コンクリートからの抜き取りが容易である。
【００２８】
また、前記ポール２が可撓性材料で構成されることにより、コンクリート供給パイプ移動中に接触してもポール２が撓むことで移動作業の妨げにならず、かつ、作業者の安全性を確保することができると共に、撓んだポール２もその可撓性により元に戻るため、天端表示機能を維持させることができる。
【００２９】
また、前記天端表示部材３が、ポール２の外周に上下移動自在に装着可能な円筒部３１と、該円筒部３１の下端に形成された円盤状の天端位置表示板３２とで構成されることにより、天端表示位置の調整が正確に行なえるようになる。
【００３０】
また、固定手段４が、円筒部３１の上端側に形成された小径部３１ａの外周に装着固定されたナット状金具４１と、該ナット状金具４１の側壁を貫通する状態で形成された雌ねじ孔４１ａに対し螺合される蝶ねじ４２とで構成されることにより、蝶ねじ４２を緩めることで天端位置表示板３２の位置調整が容易に行なえるようになると共に、蝶ねじ４２をねじ込むことにより任意の位置に固定することができるようになる。
【００３１】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３２】
この実施例２は、前記ポール２の下端部を横筋６に対し取り付け固定する場合の変形例を示すものである。
即ち、この実施例２のコンクリート天端表示具は、クリップ本体１ａを前記実施例１と共通にするもので、前記実施例１における場合との相違点は、図４に示すように、ポール取付部１ｂを背面部１３に穿設された穴１３ａから平行二面部１２の内面側に沿って挿入した状態で、該平行二面部１２の内面側に接着剤または溶接により固定するようにした点のみである。
【００３３】
従って、この実施例２のコンクリート天端表示具においても、前記実施例１と同様の効果が得られる。
【００３４】
以上本実施例を説明してきたが、本発明は上述の実施例に限られるものではなく、本発明の要旨を逸脱しない範囲の設計変更等があっても、本発明に含まれる。
例えば、実施例では、固定手段４としてナット状金具４１を用い、このナット状金具４１に蝶ねじ４２をねじ込む蝶ねじ孔４１ａを形成したが、ナット状金具４１を省略し、円筒部３１に直接蝶ねじ孔を形成するようにしてもよい。
【００３５】
また、取付手段１としては、縦筋５または横筋６に対しポール取付部１ｂを取り付け固定可能であれば、実施例の構造には限定されない。
【図面の簡単な説明】
【００３６】
【図１】実施例１のコンクリート天端表示具を示す図取り付け状態の正面図である。
【図２】実施例１のコンクリート天端表示具におけるクリップ本体を示す正面図である。
【図３】図１のＡ−Ａ線における横断平面図である。
【図４】実施例２のコンクリート天端表示具を示す要部断面図である。
【図５】従来例のコンクリート天端表示具を示す正面である。
【符号の説明】
【００３７】
１  取付手段
１ａ  クリップ本体
１ｂ  ポール取付部
１ｃ  締結部材
２  ポール
３  天端表示部材
３１  円筒部
３１ａ  小径部
３２  円盤状の天端位置表示板（板状の天端表示部）
４  固定手段
４１  ナット状金具
４１ａ  雌ねじ孔
４２  蝶ねじ
５  縦筋
６  横筋
１１  平行二面部
１１ａ  長穴
１２  平行二面部
１２ａ  ボルト穴
１３  背面部
１３ａ  穴
１４  縦孔
１５  楔状頭部
１６  締結ボルト
１７  締結ナット
【図１】
2006152611.tif 000003
【図２】
2006152611.tif 000004
【図３】
2006152611.tif 000005
【図４】
2006152611.tif 000006
【図５】
2006152611.tif 000007